(57)【要約】【課題】  セキュリティ解除を容易にする。【解決手段】  外部記憶装置に記憶されている画像データと壁紙として設定された画像データ（設定データ）とが一致していると判定された場合に（Ｓ５５：一致）、禁止状態を許可状態に変更する（Ｓ５７）。これにより、ユーザはパスワードを入力する必要はなく、設定データと一致するデータが記憶されている外部記憶装置を接続部に接続することにより、容易に禁止状態を許可状態に変更することができる。【選択図】図１０
2009177320.tif 000002
【特許請求の範囲】
【請求項１】
情報を処理する処理機能を有する情報処理装置であって、
着脱可能な記録媒体が接続される接続手段と、
データを記憶保持する保持手段と、
前記接続手段に接続された記録媒体に記憶されているデータを読み取る読取手段と、
前記処理機能の作動を禁止する禁止状態と前記処理機能の作動を許可する許可状態とを選択的に設定するための設定手段と、
前記禁止状態が設定されている場合において、前記読取手段により読み取られた読取データと、ユーザにより設定された処理機能を実行させる際に用いられるデータとして前記保持手段に記憶されている設定データとが一致しているか否かを判定する判定手段と、
前記判定手段により前記読取データと前記設定データとが一致していると判定された場合に、前記禁止状態を前記許可状態に変更するように前記設定手段に指示する変更手段と
を備えることを特徴とする情報処理装置。
【請求項２】
情報を処理する処理機能を有する情報処理装置であって、
着脱可能な記録媒体が接続される接続手段と、
データを記憶保持する保持手段と、
前記接続手段に接続された記録媒体に記憶されているデータを読み取る読取手段と、
前記処理機能の作動を禁止する禁止状態と前記処理機能の作動を許可する許可状態とを選択的に設定するための設定手段と、
前記許可状態が設定されている場合において、前記読取手段により読み取られた読取データと、ユーザにより設定された処理機能を実行させる際に用いられるデータとして前記保持手段に記憶されている設定データとが一致しているか否かを判定する判定手段と、
前記判定手段により前記読取データと前記設定データとが一致していると判定された場合に、前記許可状態を前記禁止状態に変更するように前記設定手段に指示する変更手段と
を備えることを特徴とする情報処理装置。
【請求項３】
前記設定データに対して、削除を禁止する属性を付加した属性付き設定データを作成する作成手段と、
前記作成手段により作成された前記属性付き設定データを前記接続手段に接続された記録媒体に書き込む書込手段と
を備えることを特徴とする請求項１又は２に記載の情報処理装置。
【請求項４】
情報を処理する処理機能を有する情報処理装置であって、
外部から送信されてきたデータを受信する受信手段と、
データを記憶保持する保持手段と、
前記処理機能の作動を禁止する禁止状態と前記処理機能の作動を許可する許可状態とを選択的に設定するための設定手段と、
前記禁止状態が設定されている場合において、前記受信手段により受信された受信データと、ユーザにより設定された処理機能を実行させる際に用いられるデータとして前記保持手段に記憶されている設定データとが一致しているか否かを判定する判定手段と、
前記判定手段により前記受信データと前記設定データとが一致していると判定された場合に、前記禁止状態を前記許可状態に変更するように前記設定手段に指示する変更手段と
を備えることを特徴とする情報処理装置。
【請求項５】
情報を処理する処理機能を有する情報処理装置であって、
外部から送信されてきたデータを受信する受信手段と、
データを記憶保持する保持手段と、
前記処理機能の作動を禁止する禁止状態と前記処理機能の作動を許可する許可状態とを選択的に設定するための設定手段と、
前記許可状態が設定されている場合において、前記受信手段により受信された受信データと、ユーザにより設定された処理機能を実行させる際に用いられるデータとして前記保持手段に記憶されている設定データとが一致しているか否かを判定する判定手段と、
前記判定手段により前記受信データと前記設定データとが一致していると判定された場合に、前記許可状態を前記禁止状態に変更するように前記設定手段に指示する変更手段と
を備えることを特徴とする情報処理装置。
【請求項６】
前記禁止状態が設定されている場合において、前記受信データが前記設定データと異なるとき、前記受信データに関わる処理の実行を禁止する禁止手段を備えることを特徴とする請求項４又は５に記載の情報処理装置。
【請求項７】
前記処理機能として、各種情報を表示する表示部に背景画像を表示する機能を有し、
ユーザからの指示に基づいて前記表示部に表示する背景画像を指定する指定手段と、
前記指定手段により指定された背景画像を前記設定データとして前記保持手段に記憶させる設定データ記憶手段と
を備えることを特徴とする請求項１ないし６のいずれか１つに記載の情報処理装置。
【請求項８】
前記指定手段は、接続された記録媒体に記憶されている画像の中から背景画像を指定可能であることを特徴とする請求項７に記載の情報処理装置。
【請求項９】
前記指定手段は、既に内部に記憶されている画像の中から背景画像を指定可能であることを特徴とする請求項７又は８に記載の情報処理装置。
【請求項１０】
前記設定データは、少なくとも図形を示すデータを含む画像データであることを特徴とする請求項１ないし６のいずれか１つに記載の情報処理装置。
【請求項１１】
前記判定手段は、前記読取データ又は前記受信データのうち図形を示す画像データと、前記設定データのうち図形を示す画像データとを比較して判定することを特徴とする請求項１０に記載の情報処理装置。
【請求項１２】
情報を処理する処理機能を有し、着脱可能な記録媒体が接続される接続手段、及びデータを記憶保持する保持手段を備える情報処理装置の制御用コンピュータに組み込まれて作動するプログラムであって、
前記コンピュータを、
前記接続手段に接続された記録媒体に記憶されているデータを読み取る読取手段、
前記処理機能の作動を禁止する禁止状態と前記処理機能の作動を許可する許可状態とを選択的に設定するための設定手段、
前記禁止状態が設定されている場合において、前記読取手段により読み取られた読取データと、ユーザにより設定された処理機能を実行させる際に用いられるデータとして前記保持手段に記憶されている設定データとが一致しているか否かを判定する判定手段、並びに
前記判定手段により前記読取データと前記設定データとが一致していると判定された場合に、前記禁止状態を前記許可状態に変更するように前記設定手段に指示する変更手段
として機能させることを特徴とするプログラム。
【請求項１３】
情報を処理する処理機能を有し、外部から送信されてきたデータを受信する受信手段、及びデータを記憶保持する保持手段を備える情報処理装置の制御用コンピュータに組み込まれて作動するプログラムであって、
前記コンピュータを、
前記処理機能の作動を禁止する禁止状態と前記処理機能の作動を許可する許可状態とを選択的に設定するための設定手段、
前記禁止状態が設定されている場合において、前記受信手段により受信された受信データと、ユーザにより設定された処理機能を実行させる際に用いられるデータとして前記保持手段に記憶されている設定データとが一致しているか否かを判定する判定手段、並びに
前記判定手段により前記受信データと前記設定データとが一致していると判定された場合に、前記禁止状態を前記許可状態に変更するように前記設定手段に指示する変更手段
として機能させることを特徴とするプログラム。
【請求項１４】
情報を処理する処理機能を有し、着脱可能な記録媒体が接続される接続手段、及びデータを記憶保持する保持手段を備える情報処理装置の制御用コンピュータに組み込まれて作動するプログラムであって、
前記コンピュータを、
前記接続手段に接続された記録媒体に記憶されているデータを読み取る読取手段、
前記処理機能の作動を禁止する禁止状態と前記処理機能の作動を許可する許可状態とを選択的に設定するための設定手段、
前記許可状態が設定されている場合において、前記読取手段により読み取られた読取データと、ユーザにより設定された処理機能を実行させる際に用いられるデータとして前記保持手段に記憶されている設定データとが一致しているか否かを判定する判定手段、並びに
前記判定手段により前記読取データと前記設定データとが一致していると判定された場合に、前記許可状態を前記禁止状態に変更するように前記設定手段に指示する変更手段
として機能させることを特徴とするプログラム。
【請求項１５】
情報を処理する処理機能を有し、外部から送信されてきたデータを受信する受信手段、及びデータを記憶保持する保持手段を備える情報処理装置の制御用コンピュータに組み込まれて作動するプログラムであって、
前記コンピュータを、
前記処理機能の作動を禁止する禁止状態と前記処理機能の作動を許可する許可状態とを選択的に設定するための設定手段、
前記許可状態が設定されている場合において、前記受信手段により受信された受信データと、ユーザにより設定された処理機能を実行させる際に用いられるデータとして前記保持手段に記憶されている設定データとが一致しているか否かを判定する判定手段、並びに
前記判定手段により前記受信データと前記設定データとが一致していると判定された場合に、前記許可状態を前記禁止状態に変更するように前記設定手段に指示する変更手段
として機能させることを特徴とするプログラム。
【発明の詳細な説明】
【技術分野】
【０００１】
本発明は、情報処理装置及びプログラムに関するものである。
【背景技術】
【０００２】
例えば、特許文献１に記載の情報処理装置の認証システムでは、ユーザがパスワードをキースイッチから入力すると、ユーザが入力したパスワードと認証システムで予め記憶しているパスワードとの比較を行い、一致するか否かにより情報処理装置の使用を制限している。
【特許文献１】特開２００３−２８８３２３号公報
【発明の開示】
【発明が解決しようとする課題】
【０００３】
しかし、特許文献１に記載の発明では、ユーザからのパスワードの入力により、情報処理装置の使用を制限する否かを判断しているため、情報処理装置を使用するユーザは必ずパスワードを記憶しておく必要がある。
【０００４】
したがって、仮に、ユーザがパスワードを忘れてしまった場合には、そのユーザは情報処理装置を使用することができなくなるとともに、パスワードの再設定を行う必要があるので、これらの操作が非常に面倒であるという問題がある。
【０００５】
本発明は、上記点に鑑み、上記問題を解決することを目的とする。
【課題を解決するための手段】
【０００６】
本発明は、上記目的を達成するために、請求項１に記載の発明では、情報を処理する処理機能を有する情報処理装置であって、着脱可能な記録媒体が接続される接続手段と、データを記憶保持する保持手段と、接続手段に接続された記録媒体に記憶されているデータを読み取る読取手段と、処理機能の作動を禁止する禁止状態と処理機能の作動を許可する許可状態とを選択的に設定するための設定手段と、禁止状態が設定されている場合において、読取手段により読み取られた読取データと、ユーザにより設定された処理機能を実行させる際に用いられるデータとして保持手段に記憶されている設定データとが一致しているか否かを判定する判定手段と、判定手段により読取データと設定データとが一致していると判定された場合に、禁止状態を許可状態に変更するように前記設定手段に指示する変更手段とを備えることを特徴とする。
【０００７】
これにより、請求項１に記載の発明では、ユーザはパスワードを入力する必要はなく、設定データと一致するデータが記憶されている記録媒体を接続手段に接続することにより、情報処理装置における処理機能の作動状態を禁止状態から許可状態に容易に変更することができる。
【０００８】
なお、「読取データと設定データとが一致している」とは、両データが完全一致している場合は勿論のこと、一部が一致している場合も含む意味である。
請求項２に記載の発明では、情報を処理する処理機能を有する情報処理装置であって、着脱可能な記録媒体が接続される接続手段と、データを記憶保持する保持手段と、接続手段に接続された記録媒体に記憶されているデータを読み取る読取手段と、処理機能の作動を禁止する禁止状態と処理機能の作動を許可する許可状態とを選択的に設定するための設定手段と、許可状態が設定されている場合において、読取手段により読み取られた読取データと、ユーザにより設定された処理機能を実行させる際に用いられるデータとして保持手段に記憶されている設定データとが一致しているか否かを判定する判定手段と、判定手段により読取データと設定データとが一致していると判定された場合に、許可状態を禁止状態に変更するように前記設定手段に指示する変更手段とを備えることを特徴とする。
【０００９】
これにより、請求項２に記載の発明では、ユーザはパスワードを入力する必要はなく、設定データと一致するデータが記憶されている記録媒体を接続手段に接続することにより、容易に許可状態を禁止状態に変更することができる。
【００１０】
請求項３に記載の発明では、前記設定データに対して、削除を禁止する属性を付加した属性付き設定データを作成する作成手段と、前記作成手段により作成された前記属性付き設定データを前記接続手段に接続された記録媒体に書き込む書込手段とを備えることを特徴とする。
【００１１】
これにより、請求項３に記載の発明では、記録媒体に書き込まれたデータ、即ち、保持手段に保持されている設定データと比較されるデータが、誤って削除されてしまうことを未然に防止できる。
【００１２】
請求項４に記載の発明では、情報を処理する処理機能を有する情報処理装置であって、外部から送信されてきたデータを受信する受信手段と、データを記憶保持する保持手段と、処理機能の作動を禁止する禁止状態と処理機能の作動を許可する許可状態とを選択的に設定するための設定手段と、禁止状態が設定されている場合において、受信手段により受信された受信データと、ユーザにより設定された処理機能を実行させる際に用いられるデータとして保持手段に記憶されている設定データとが一致しているか否かを判定する判定手段と、判定手段により受信データと設定データとが一致していると判定された場合に、禁止状態を許可状態に変更するように前記設定手段に指示する変更手段とを備えることを特徴とする。
【００１３】
これにより、請求項４に記載の発明では、ユーザはパスワードを入力する必要はなく、設定データと一致するデータを情報処理装置に送信することにより、情報処理装置における処理機能の作動状態を禁止状態から許可状態に容易に変更することができる。
【００１４】
なお、「受信データと設定データとが一致している」とは、両データが完全一致している場合は勿論のこと、一部が一致している場合も含む意味である。
請求項５に記載の発明では、情報を処理する処理機能を有する情報処理装置であって、外部から送信されてきたデータを受信する受信手段と、データを記憶保持する保持手段と、処理機能の作動を禁止する禁止状態と処理機能の作動を許可する許可状態とを選択的に設定するための設定手段と、許可状態が設定されている場合において、受信手段により受信された受信データと、ユーザにより設定された処理機能を実行させる際に用いられるデータとして保持手段に記憶されている設定データとが一致しているか否かを判定する判定手段と、判定手段により受信データと設定データとが一致していると判定された場合に、許可状態を禁止状態に変更するように前記設定手段に指示する変更手段とを備えることを特徴とする。
【００１５】
これにより、請求項５に記載の発明では、ユーザはパスワードを入力する必要はなく、設定データと一致するデータが記憶されているデータを情報処理装置に送信することにより、容易に許可状態を禁止状態に変更することができる。
【００１６】
請求項６に記載の発明では、禁止状態が設定されている場合において、受信データが設定データと異なるとき、受信データに関わる処理の実行を禁止する禁止手段を備えることを特徴とする。
【００１７】
これにより、請求項６に記載の発明では、受信データが設定データと異なるときには、禁止状態が維持され、情報処理装置の禁止状態に反して受信データに関わる処理が実行されることを防止できる。
【００１８】
請求項７に記載の発明では、前記処理機能として、各種情報を表示する表示部に背景画像を表示する機能を有し、ユーザからの指示に基づいて前記表示部に表示する背景画像を指定する指定手段と、前記指定手段により指定された背景画像を前記設定データとして前記保持手段に記憶させる設定データ記憶手段とを備えることを特徴とする。
【００１９】
これにより、請求項７に記載の発明では、ユーザは、表示部に表示する背景画像の指定に関連付けて容易に設定データを設定できるので、情報処理装置の使い勝手を向上させることができる。
【００２０】
請求項８に記載の発明では、指定手段は、接続された記録媒体に記憶されている画像の中から背景画像を指定可能であることを特徴とするものである。
請求項９に記載の発明では、指定手段は、情報処理装置のＨＤＤなＲＯＭ等の記憶装置に既に記憶されている画像の中から背景画像を指定可能であることを特徴とするものである。
【００２１】
請求項１０に記載の発明では、設定データは、少なくとも図形を示すデータを含む画像データであることを特徴とする。
通常、図形を示すデータを含む画像データは、パスワード等のテキスト情報に比べて、データサイズが大きく複雑であるので、複製データを容易に作成することができない。したがって、これにより、請求項１０に記載の発明では、情報処理装置の安全性を高めることができる。
【００２２】
請求項１１に記載の発明では、判定手段は、読取データ又は受信データのうち図形を示す画像データと、設定データのうち図形を示す画像データとを比較して判定することを特徴とするものである。
【００２３】
これにより、判定手段は、図形を示す画像データ同士の比較により、読取データ又は受信データと設定データとの一致・不一致を判定するので、情報処理装置における処理機能の作動状態を変更する際の判定を厳密に行うことができる。
【００２４】
請求項１２に記載の発明では、情報を処理する処理機能を有し、着脱可能な記録媒体が接続される接続手段、及びデータを記憶保持する保持手段を備える情報処理装置の制御用コンピュータに組み込まれて作動するプログラムであって、コンピュータを、接続手段に接続された記録媒体に記憶されているデータを読み取る読取手段、処理機能の作動を禁止する禁止状態と処理機能の作動を許可する許可状態とを選択的に設定するための設定手段、禁止状態が設定されている場合において、読取手段により読み取られた読取データと、ユーザにより設定された処理機能を実行させる際に用いられるデータとして保持手段に記憶されている設定データとが一致しているか否かを判定する判定手段、並びに判定手段により読取データと設定データとが一致していると判定された場合に、禁止状態を許可状態に変更するように前記設定手段に指示する変更手段として機能させることを特徴とする。
【００２５】
これにより、請求項１２に記載の発明では、請求項１に記載の発明と同等に、ユーザはパスワードを入力する必要はなく、設定データと一致するデータが記憶されている記録媒体を接続手段に接続することにより、情報処理装置における処理機能の作動状態を禁止状態から許可状態に容易に変更することができる。
【００２６】
請求項１３に記載の発明では、情報を処理する処理機能を有し、外部から送信されてきたデータを受信する受信手段、及びデータを記憶保持する保持手段を備える情報処理装置の制御用コンピュータに組み込まれて作動するプログラムであって、コンピュータを、処理機能の作動を禁止する禁止状態と処理機能の作動を許可する許可状態とを選択的に設定するための設定手段、禁止状態が設定されている場合において、受信手段により受信された受信データと、ユーザにより設定された処理機能を実行させる際に用いられるデータとして保持手段に記憶されている設定データとが一致しているか否かを判定する判定手段、並びに判定手段により受信データと設定データとが一致していると判定された場合に、禁止状態を許可状態に変更するように前記設定手段に指示する変更手段として機能させることを特徴とする。
【００２７】
これにより、請求項１３に記載の発明では、請求項３に記載の発明と同様に、ユーザはパスワードを入力する必要はなく、設定データと一致するデータが記憶されているデータを情報処理装置に送信することにより、情報処理装置における処理機能の作動状態を禁止状態から許可状態に容易に変更することができる。
【００２８】
請求項１４に記載の発明では、情報を処理する処理機能を有し、着脱可能な記録媒体が接続される接続手段、及びデータを記憶保持する保持手段を備える情報処理装置の制御用コンピュータに組み込まれて作動するプログラムであって、コンピュータを、接続手段に接続された記録媒体に記憶されているデータを読み取る読取手段、処理機能の作動を禁止する禁止状態と処理機能の作動を許可する許可状態とを選択的に設定するための設定手段、許可状態が設定されている場合において、読取手段により読み取られた読取データと、ユーザにより設定された処理機能を実行させる際に用いられるデータとして保持手段に記憶されている設定データとが一致しているか否かを判定する判定手段、並びに判定手段により読取データと設定データとが一致していると判定された場合に、許可状態を禁止状態に変更するように前記設定手段に指示する変更手段として機能させることを特徴とする。
【００２９】
これにより、請求項１４に記載の発明では、請求項５に記載の発明と同様に、ユーザはパスワードを入力する必要はなく、設定データと一致するデータが記憶されている記録媒体を接続手段に接続することにより、情報処理装置における処理機能の作動状態を許可状態から禁止状態に容易に変更することができる。
【００３０】
請求項１５に記載の発明では、情報を処理する処理機能を有し、外部から送信されてきたデータを受信する受信手段、及びデータを記憶保持する保持手段を備える情報処理装置の制御用コンピュータに組み込まれて作動するプログラムであって、コンピュータを、処理機能の作動を禁止する禁止状態と処理機能の作動を許可する許可状態とを選択的に設定するための設定手段、許可状態が設定されている場合において、受信手段により受信された受信データと、ユーザにより設定された処理機能を実行させる際に用いられるデータとして保持手段に記憶されている設定データとが一致しているか否かを判定する判定手段、並びに判定手段により受信データと設定データとが一致していると判定された場合に、許可状態を禁止状態に変更するように前記設定手段に指示する変更手段として機能させることを特徴とする。
【００３１】
これにより、請求項１５に記載の発明では、請求項６に記載の発明と同様に、ユーザはパスワードを入力する必要はなく、設定データと一致するデータが記憶されているデータを情報処理装置に送信することにより、情報処理装置における処理機能の作動状態を許可状態から禁止状態に容易に変更することができる。
【発明を実施するための最良の形態】
【００３２】
本実施形態は、本発明に係る情報処理装置をプリンタ機能やファクシミリ機能を備える多機能装置に適用したものであり、以下に本発明の実施形態を図面と共に説明する。
（第１実施形態）
１．図面の説明
図１は本実施形態に係る多機能装置１の構成を示すブロック図であり、図２〜図４は多機能装置１の概略作動を示すフローチャートであり、図５はセキュリティ設定処理を示すフローチャートであり、図６は壁紙画像比較処理を示すフローチャートである。
【００３３】
また、図７は外部記憶装置画像選択処理を示すフローチャートであり、図８はセキュリティ選択設定処理を示すフローチャートであり、図９は多機能装置１の概略作動を示すフローチャートであり、図１０は外部記憶装置が装着されたときのセキュリティ解除処理を示すフローチャートであり、図１１はコンピュータからデータを受信したときのセキュリティ解除処理を示すフローチャートである。
【００３４】
２．多機能装置の構成（図１参照）
多機能装置１は、図１に示すように、記録用紙等の記録媒体に画像を形成する印刷部３、ユーザにより操作される操作パネル５、各種の情報を表示する表示パネル７、情報（データ）を記憶する記憶部９、外部記憶装置２０が着脱可能に装着される接続部１１、ＮＩＣ（Network Interface Card）１３等のネットワーク接続用のインターフェース、及び印刷部３や表示パネル７等を制御する制御部１５を有して構成されている。
【００３５】
なお、制御部１５は、ＣＰＵ、ＲＯＭ及びＲＡＭ等からなる周知のマイクロコンピュータにて構成されたものであり、図５〜図８に示す処理を実行するためのプログラム等は、ＲＯＭに記憶されている。
【００３６】
また、接続部１１は特許請求の範囲に記載された接続手段に相当するもので、本実施形態では、ＵＳＢ（Universal Serial Bus）規格の接続端子（インターフェース）を接続部１１として採用しているが、これに限定されるものではなく、他の規格の接続端子でもよい。さらに、図示されていない公衆回線等を介して、外部の通信装置からファクシミリデータを受信可能に構成されている。
【００３７】
一方、外部記憶装置２０も、接続部１１に接続可能なインターフェースを有する記憶手段であれば何でもよく、具体的には、フラッシュメモリ等の不揮発性半導体記憶装置にて構成されたＵＳＢメモリやＳＤメモリ（登録商標）、ＨＤＤ等の磁気記憶装置、又は多機能装置１と直接的に接続して印刷するための通信規格であるＰｉｃｔＢｒｉｄｇｅに対応したデジタルカメラ等が外部記憶装置２０として考えられる。
【００３８】
また、表示パネル７は、ユーザが表示パネル７に触れたか否か、及び触れた位置を検出することが可能ないわゆるタッチパネル機能を有しているため、本実施形態では、操作パネル５に加えて、表示パネル７でもユーザの操作を受け付けることもできる。
【００３９】
３．本実施形態に係る多機能装置の特徴的作動
３．１．特徴的作動の概略
本実施形態に係る多機能装置１は、多機能装置１で実行可能な各種の処理機能の作動を禁止する禁止状態と、この処理機能の作動を許可する許可状態とを選択的に設定することができるとともに、表示パネル７に表示される背景画像（以下、壁紙という。）に関連付けて、禁止状態から許可状態への変更（以下、セキュリティ解除という。）、又は許可状態から禁止状態への変更（以下、セキュリティ設定という。）を行うことができることを特徴としている。
【００４０】
３．２．セキュリティ設定
本実施形態では、壁紙用の画像データを設定する際に、壁紙として設定する画像データをセキュリティ解除を行うための鍵情報としてセキュリティ設定を行う手法（以下、第１設定方法という。）と、既に壁紙用の画像データが設定されている場合に、その壁紙として既に設定されている画像データをセキュリティ解除を行うための鍵情報としてセキュリティ設定を行う手法（以下、第２設定方法という。）とがある。
【００４１】
３．２．１．第１設定方法
図２及び図３は、表示パネル７に表示されるガイダンス（案内）画面を第１設定方法による設定手順に沿って示したフローチャートである。
【００４２】
そして、操作パネル５がユーザにより操作されて、多機能装置１で実行可能な処理を設定するためのメニュー画面Ｇ１（図２参照）が表示パネル７に表示され、メニュー画面Ｇ１の「基本設定」がユーザにより選択されると、基本設定画面Ｇ３が表示パネル７に表示される。
【００４３】
次に、基本設定画面Ｇ３の「画面設定」がユーザにより選択されると、画面設定画面Ｇ５が表示パネル７に表示され、画面設定画面Ｇ５の「壁紙設定」が選択されると、壁紙設定画面Ｇ７が表示パネル７に表示される。
【００４４】
なお、壁紙設定画面Ｇ７の「壁紙１」〜「壁紙３」とは、多機能装置１の記憶部９に予め記憶されている３種類の壁紙用画像データを壁紙として設定する旨を示しており、壁紙設定画面Ｇ７の「メディアから取得」とは、接続部１１に接続された外部記憶装置２０等の着脱可能な記録媒体（メディア）に記憶されている画像データを壁紙用画像データとして設定する旨を示している。
【００４５】
ここで、「画像データ」とは、文字（テキスト）データ及び図形データのうち少なくとも１つのデータを含むデータをいい、図形データとは、写真データやグラフィックデータ等の文字データ以外のデータや文字を図案化（デザイン化）したデータ等をいう。
【００４６】
そして、壁紙設定画面Ｇ７の「壁紙１」〜「壁紙３」のいずれかがユーザにより選択された場合には、選択された壁紙用の画像データをセキュリティ解除を行うための鍵情報としてセキュリティ設定を行うか否かの選択をユーザに対して促す画面Ｇ１３（図３参照）が表示パネル７に表示される。
【００４７】
一方、壁紙設定画面Ｇ７の「メディアから取得」がユーザにより選択された場合には、外部記憶装置２０（メディア）を接続部１１に挿入すべき旨のメッセージＧ９（図２参照）が表示パネル７に表示され、外部記憶装置２０が接続部１１に挿入されると、外部記憶装置２０に記憶・保持されている画像データが多機能装置１に読み込まれ、そのファイル名（データ名）及び画像データの概要Ｇ１１が表示パネル７に表示される。
【００４８】
そして、表示パネル７に表示された概要Ｇ１１の中のいずれかの画像データがユーザにより選択された場合には、選択された壁紙用の画像データをセキュリティ解除を行うための鍵情報として用いるか否かの選択をユーザに対して促す画面Ｇ１３が表示パネル７に表示される。
【００４９】
このとき、セキュリティ設定を行わない旨（Ｇ１３の「いいえ」）がユーザにより選択されると、選択された画像データが壁紙として表示パネル７に表示されて、表示パネル７が待機状態Ｇ１５となる。
【００５０】
一方、セキュリティ設定を行う旨（Ｇ１３の「はい」）がユーザにより選択されると、外部記憶装置２０を接続部１１に挿入すべきことを促すメッセージＧ１７が表示部７に表示され、外部記憶装置２０が接続部１１に挿入されると、セキュリティ解除を行うための鍵情報として設定された壁紙用の画像データが、接続部１１に挿入された外部記憶装置２０に書き込まれるとともに、その旨を意図する画像Ｇ１９が表示パネル７に表示される。
【００５１】
そして、外部記憶装置２０への画像データの書き込みが終了すると、外部記憶装置２０を接続部１１から取り外すよう促すメッセージＧ２１が表示パネル７に表示された後、表示パネル７に壁紙及びセキュリティ設定がされた旨の画面Ｇ２３が表示される。
【００５２】
なお、記憶部９内にセキュリティ設定データの記憶領域を設けておき、セキュリティ解除を行うための鍵情報として設定された壁紙用の画像データは、その領域に別途記憶される構成であってもよい。
【００５３】
３．２．２．第２設定方法
図４及び図３は、表示パネル７に表示されるガイダンス（案内）画面を第２設定方法による設定手順に沿って示したフローチャートである。なお、図３は第１設定方法と同じであり、画面Ｇ１３が表示される前の操作手順のみ第１設定方法と異なるので、以下、図４に示す手順についてのみ説明する。
【００５４】
第２設定方法は、セキュリティ設定が未だされていない場合であって、既に壁紙用の画像データのみが設定されているときに実行可能な設定方法である。
すなわち、セキュリティ設定が未だされていない場合であって、既に壁紙用の画像データのみが設定されているときには、壁紙として設定された画像データＧ２５が表示パネル７に表示されている。
【００５５】
そして、この状態で外部記憶装置２０が接続部１１に挿入（接続）されると、挿入された外部記憶装置２０に記憶・保存されている画像データが取得される。そして、現在、壁紙として設定されている画像データと一致する画像データが、挿入された外部記憶装置２０に保存されているか否かが、後述する手法に従って判定され、かつ、その旨の画面Ｇ２７が表示パネル７に表示される。
【００５６】
このとき、壁紙として設定されている画像データと一致する画像データが外部記憶装置２０に保存されていると判定された場合には、画面Ｇ１３が表示パネル７に表示されるので、以降は、第１設定方法と同一手順に従ってセキュリティ設定を行うことができる。
【００５７】
一方、壁紙として設定されている画像データと一致する画像データが外部記憶装置２０に保存されていないと判定された場合には、セキュリティ設定が実行されることなく、壁紙が表示された初期画面（待ち受け画面）Ｇ２９が表示パネル７に表示される。
【００５８】
また、初期画面（待ち受け画面）Ｇ２５が表示パネル７に表示されている状態で、コンピュータ（図１のＰＣ）から送信されてきたデータを印字データとして受信した場合には、現在、壁紙として設定されている画像データ（以下、設定データという。）と受信した受信データとが一致するか否か、つまり設定データと一致する画像データが受信データに含まれているか否かが、後述する手法に従って判定され、かつ、その旨の画面Ｇ３１が表示パネル７に表示される。
【００５９】
このとき、設定データと受信データとが一致すると判定された場合には、画面Ｇ１３が表示パネル７に表示されるので、以降は、第１設定方法と同一手順に従ってセキュリティ設定を行うことができる。
【００６０】
一方、設定データと受信データとが一致しないと判定された場合には、セキュリティ設定が実行されることなく、受信データは印刷を目的としたデータであると見なされる。そして、印刷する旨のメッセージＧ３３が表示パネル７に表示された後、受信データの印刷が終了したときに、壁紙が表示された初期画面（待ち受け画面）Ｇ３５が表示パネル７に表示される。
【００６１】
３．３．セキュリティ設定の処理
図５〜図８は、第１設定方法及び第２設定方法を実行する際に制御部（ＣＰＵ）１５で実行される処理を示すフローチャートである。
【００６２】
３．３．１．主処理
図５に示す主処理は、多機能装置１の電源スイッチ（図示せず。）が投入されたときに起動し、電源スイッチが遮断されたときに終了するものであり、電源スイッチが投入されている間に繰り返し実行される処理である。この処理が起動されると、先ず、外部記憶装置２０が接続部１１に接続（挿入）されたか否かが判定され（Ｓ１）、外部記憶装置２０が接続されていると判定された場合には（Ｓ１：ＹＥＳ）、壁紙が既に設定されているか否かが判定される（Ｓ３）。
【００６３】
そして、壁紙が設定されていると判定された場合には（Ｓ３：ＹＥＳ）、接続された外部記憶装置２０に記憶・保存されている画像データが取得されるととともに、現在、壁紙として設定されている画像データ（設定データ）と一致する画像データが、外部記憶装置２０に保存されているか否かが、後述する手法に従って判定される（Ｓ５）。
【００６４】
このとき、設定データと一致する画像データが外部記憶装置２０に保存されていると判定された場合には（Ｓ５：ＹＥＳ）、現在の設定データをセキュリティ解除を行うための鍵情報として用いるか否かがユーザの選択（画面Ｇ１３参照）に基づいて判定される（Ｓ２１）。
【００６５】
セキュリティ設定を行わない旨がユーザにより選択されたと判定された場合には（Ｓ２１：ＮＯ）、その他の処理が実行された後（Ｓ２４）、再び、Ｓ１が実行される。なお、「その他の処理」とは、例えば、画面設定画面Ｇ５の「壁紙設定」以外が選択されたときに実行される処理（例えば、記録紙設定やファックス等）をいう。
【００６６】
一方、セキュリティ設定を行う旨がユーザにより選択されたと判定された場合には（Ｓ２１：ＹＥＳ）、セキュリティ選択設定処理（詳細は後述する。）が実行された後（Ｓ２３）、再び、Ｓ１が実行される。
【００６７】
また、Ｓ１にて外部記憶装置２０が接続されていないと判定された場合（Ｓ１：ＮＯ）、Ｓ３にて壁紙が設定されていないと判定された場合（Ｓ３：ＮＯ）、又は設定データと一致する画像データが外部記憶装置２０に保存されていないと判定された場合には（Ｓ５：ＮＯ）、コンピュータから送信されてきたデータを受信したか否かが判定される（Ｓ７）。
【００６８】
そして、コンピュータから送信されてきたデータを受信したと判定された場合には（Ｓ７：ＹＥＳ）、壁紙が既に設定されているか否かが判定され（Ｓ３９）、壁紙が設定されていると判定された場合には（Ｓ９：ＹＥＳ）、受信した受信データと設定データとが一致するか否かがＳ５と同様な手法にて判定される（Ｓ１１）。
【００６９】
このとき、設定データと受信データとが一致すると判定された場合には（Ｓ１１：ＹＥＳ）、Ｓ２１が実行され、一方、設定データと受信データとが一致しないと判定された場合（Ｓ１１：ＮＯ）、又はＳ９にて壁紙が設定されていないと判定された場合には（Ｓ９：ＮＯ）、受信データはセキュリティ設定のためのデータではなく、印刷のための印刷データであるとみなされ、Ｓ７にて受信した受信データが印刷される（Ｓ１３）。
【００７０】
また、Ｓ７にてデータを受信していないと判定された場合には（Ｓ７：ＮＯ）、画面設定画面Ｇ５が表示パネル７に表示されているか否かが判定され（Ｓ１４）、画面設定画面Ｇ５が表示されていると判定された場合、つまり画面Ｇ１を経て画面Ｇ３の画面設定が選択された場合（Ｓ１４：ＹＥＳ）、又はＳ１３にて印刷処理が終了した場合には、画面設定画面Ｇ５の「壁紙設定」がユーザにより選択されたか否かが判定される（Ｓ１５）。
【００７１】
そして、「壁紙設定」が選択されていないと判定された場合（Ｓ１５：ＮＯ）、又は画面設定画面Ｇ５が表示されていないと判定された場合には（Ｓ１４：ＮＯ）、その他の処理が実行された後（Ｓ２４）、再び、Ｓ１が実行される。
【００７２】
一方、「壁紙設定」が選択されたと判定された場合には（Ｓ１５：ＹＥＳ）、壁紙設定画面Ｇ７の「壁紙１」〜「壁紙３」又は「メディアから取得」のいずれかユーザにより選択されたかに基づいて、壁紙用の画像データをどこから取得すべきかが判定される（Ｓ１７）。
【００７３】
そして、「壁紙１」〜「壁紙３」のいずれかが選択されたと判定された場合には（Ｓ１７：記憶部内画像）、その選択された画像データを設定データとしてＳ２１が実行される。
【００７４】
なお、設定データとなる画像データ（壁紙）には、その旨が識別可能な識別情報を付加しておき、以降の処理において、設定データとの一致・不一致の判定を行う際には、上記識別情報に基づいて設定データを参照する。
【００７５】
一方、「メディアから取得」が選択されたと判定された場合には（Ｓ１７：外部記憶装置）、外部記憶装置画像選択処理（詳細は後述する。）が実行された後（Ｓ１９）、選択された画像データを設定データとしてＳ２１が実行される。
【００７６】
３．３．２．壁紙画像比較処理（図６参照）
壁紙画像比較処理とは、設定データと受信データとが一致しているか否か（図５のＳ１１）、又は設定データと外部記憶装置２０から取得した画像データとが一致しているか否か（図５のＳ５）を判定するための処理であり、以下、設定データと外部記憶装置２０から取得した画像データ（以下、単に、画像データという。）とが一致しているか否かを例に説明する。
【００７７】
すなわち、画像データは、前述したように、文字データ及び図形データのうち少なくとも１つのデータを含むデータであり、かつ、画像データには、通常、文字データや図形データ等の印字出力や表示出力に使用される本来的なデータ（以下、このデータを本体データという。）に加えて、データの名称や作成もしくは更新日時、又はサムネイル画像情報等の付加情報が付加されている。つまり、画像データ及び設定データは、本体データ及び付加情報から構成されている。
【００７８】
なお、付加情報は、名称や作成又は更新日時のみに限定されるものではなく、例えば画像データがデジタルカメラにて作成された場合には、デジタルカメラの製造メーカ名、デジタルカメラのモデル名及び撮影日時も付加情報として本体データに付加される。
【００７９】
そこで、本実施形態では、設定データ及び画像データにおいて、本体データのうち少なくとも一部が一致した場合、又は付加情報のうち少なくとも一部が一致した場合には、設定データと画像データとが一致すると判定している。
【００８０】
つまり、壁紙画像比較処理においては、例えば図６に示す処理が起動され、先ず、設定データ及び画像データにおいて付加情報のうち少なくとも一部が一致するか否かが判定され（Ｓ３１）、付加情報のうち少なくとも一部が一致すると判定された場合には（Ｓ３１：ＹＥＳ）、設定データ及び画像データにおいて本体データのうち少なくとも一部が一致するか否か判定される（Ｓ３３）。
【００８１】
そして、Ｓ３３において、本体データのうち少なくとも一部が一致すると判定された場合には（Ｓ３３：ＹＥＳ）、設定データと画像データとが一致すると判定し、それ以外の場合には（Ｓ３１：ＮＯ、Ｓ３３：ＮＯ）、設定データと画像データとが一致しない判定している。
【００８２】
なお、図６では、付加情報のうち少なくとも一部が一致し、かつ、本体データのうち少なくとも一部が一致した場合に設定データと画像データとが一致すると判定したが、本実施形態はこれに限定されるものではなく、付加情報又は本体データのうち少なくとも一部が一致する場合に設定データと画像データとが一致すると判定してもよい。
【００８３】
３．３．３．セキュリティ選択設定処理（図７参照）
セキュリティ選択設定処理（図５のＳ２３）とは、図７に示すように、セキュリティ設定がされたときに、鍵情報となる設定データ、つまり、現在、壁紙として設定されている画像データを外部記憶装置２０に書き込むための処理である。
【００８４】
すなわち、セキュリティ選択設定処理が起動されると、先ず、接続部１１に外部記憶装置２０が接続（挿入）されているか否かが判定され（Ｓ３５）、外部記憶装置２０が接続されていると判定された場合には（Ｓ３５：ＹＥＳ）、壁紙として設定されている画像データ（設定データ）をデータの削除を禁止する属性を付加した上で外部記憶装置２０に書き込み（Ｓ３７）、本処理が終了する。
【００８５】
また、外部記憶装置２０が接続されていないと判定された場合には（Ｓ３５：ＮＯ）、セキュリティ選択設定処理が起動された時から所定時間（例えば、６０秒）が経過したか否かが判定され（Ｓ３９）、所定時間が経過していないと判定された場合には（Ｓ３９：ＮＯ）、再び、Ｓ３５が実行され、一方、所定時間が経過したと判定された場合には（Ｓ３９：ＹＥＳ）、本処理が終了する。
【００８６】
３．３．４．外部記憶装置画像選択処理（図８参照）
外部記憶装置画像選択処理（図５のＳ１９）は、図８に示すように、壁紙として設定する画像データを接続部１１に接続された外部記憶装置２０の中から選択可能とするための処理である。
【００８７】
そして、外部記憶装置画像選択処理が起動されると、先ず、接続部１１に外部記憶装置２０が接続（挿入）されているか否かが判定され（Ｓ４１）、外部記憶装置２０が接続されていないと判定された場合には（Ｓ４１：ＮＯ）、外部記憶装置２０が接続されるまで待機状態となる。
【００８８】
一方、外部記憶装置２０が接続されていると判定された場合には（Ｓ４１：ＹＥＳ）、外部記憶装置２０に記憶されている全ての画像データの情報が取得され、その取得された画像データのファイル名（データ名）及び画像データの概要が表示パネル７に表示される（Ｓ４３）。
【００８９】
そして、表示パネル７を介していずれかの画像データがユーザにより選択されると、その選択された画像データが壁紙用の画像データとして選択され（Ｓ４５）、選択された画像データが外部記憶装置２０から取得されて、設定データとして記憶部９に記憶・保持された後（Ｓ４７）、本処理が終了する。
【００９０】
３．４．セキュリティ解除
本実施形態では、記憶部９に保持されている設定データと同一の画像データが記憶されている外部記憶装置２０を接続部１１に接続（挿入）する（以下、この解除方法を第１解除方法という。）、又は設定データと同一の画像データをコンピュータ等から多機能装置１に送信する（以下、この解除方法を第２解除方法という。）ことにより、セキュリティ解除を行うことができる。
【００９１】
すなわち、図９は、セキュリティ設定状態からのセキュリティ解除時に、表示パネル７に表示されるガイダンス（案内）画面を手順に沿って示したフローチャートである。
そして、セキュリティ設定がされ、かつ、表示パネル７に壁紙Ｇ４１が設定表示されている場合に、外部記憶装置２０（図９においては、「メディア」と表記）が接続部１１に挿入（接続）されると、表示パネル７にその旨の表示Ｇ４３がされるとともに、設定データと同一の画像データが外部記憶装置２０に記憶されているか否かが判定される。
【００９２】
このとき、設定データと同一の画像データが外部記憶装置２０に記憶されている場合には、その旨及びセキュリティ解除を行う旨の表示Ｇ４５が表示された後、セキュリティ解除がされ、表示パネル７に再び壁紙として設定された画像Ｇ４７が表示される。
【００９３】
なお、セキュリティ設定がされている場合には、表示パネル７にその旨の画像Ｇ４１が表示されているが、セキュリティ解除がされると、セキュリティ設定がされている旨の表示は削除される。
【００９４】
また、セキュリティ設定がされ、かつ、表示パネル７に壁紙Ｇ４１が設定表示されている場合に、コンピュータから送信されるデータ又はファクシミリデータを受信すると、表示パネル７にその旨の表示Ｇ４９がされるとともに、設定データと同一の画像データが受信データに含まれているか否かが判定される。
【００９５】
このとき、設定データと同一の画像データが受信データに含まれている場合には、その旨及びセキュリティ解除を行う旨の表示Ｇ５１が表示された後、セキュリティ解除がされ、表示パネル７に再び壁紙として設定された画像Ｇ４７が表示される。
【００９６】
３．４．１．第１解除方法の詳細（図１０参照）
図１０は、第１解除方法の詳細処理を示すフローチャートであり、この処理は、多機能装置１の電源スイッチ（図示せず。）が投入されたときに起動し、電源スイッチが遮断されたときに終了する。
【００９７】
そして、図１０に示す処理が起動すると、外部記憶装置２０が接続部１１に挿入（接続）されたか否かが判定され（Ｓ５１）、外部記憶装置２０が挿入されていないと判定された場合には（Ｓ５１：ＮＯ）、外部記憶装置２０の挿入を待つ待機状態となり、一方、外部記憶装置２０が挿入されたと判定された場合には（Ｓ５１：ＹＥＳ）、セキュリティ設定がされているか否かが判定される（Ｓ５３）。
【００９８】
このとき、セキュリティ設定がされていないと判定された場合には（Ｓ５３：ＮＯ）、再び、Ｓ５１が実行され、一方、セキュリティ設定がされていると判定された場合には（Ｓ５３：ＹＥＳ）、壁紙画像比較処理（図６参照）が実行される（Ｓ５５）。
【００９９】
そして、設定データと外部記憶装置２０に記憶されている画像データとが一致すると判定された場合には（Ｓ５５：一致）、セキュリティ解除がされた後（Ｓ５７）、再び、Ｓ５１が実行され、一方、設定データと外部記憶装置２０に記憶されている画像データとが一致しない判定された場合には（Ｓ５５：不一致）、セキュリティ解除がされることなく、再び、Ｓ５１が実行される。
【０１００】
３．４．２．第２解除方法の詳細（図１１参照）
図１１は、第１解除方法の詳細処理を示すフローチャートであり、この処理は、多機能装置１の電源スイッチ（図示せず。）が投入されたときに起動し、電源スイッチが遮断されたときに終了する。
【０１０１】
そして、図１１に示す処理が起動すると、コンピュータ等から送信されてきたデータを受信したか否かが判定され（Ｓ６１）、データを受信していないと判定された場合には（Ｓ６１：ＮＯ）、データの受信を待つ待機状態となり、一方、データを受信したと判定された場合には（Ｓ６１：ＹＥＳ）、その受信した受信データが印刷処理を実行すべき印字データであるか否かが判定される（Ｓ６３）。
【０１０２】
このとき、受信データが印字データでないと判定された場合には（Ｓ６３：ＮＯ）、受信したデータが破棄された後（Ｓ７１）、再び、Ｓ６１が実行され、一方、受信データが印字データであると判定された場合には（Ｓ６３：ＹＥＳ）、セキュリティ設定がされているか否かが判定される（Ｓ６５）。
【０１０３】
このとき、セキュリティ設定がされていないと判定された場合には（Ｓ６５：ＮＯ）、受信データが印刷された後（Ｓ７３）、再び、Ｓ６１が実行され、一方、セキュリティ設定がされていると判定された場合には（Ｓ６５：ＹＥＳ）、壁紙画像比較処理（図６参照）が実行される（Ｓ６７）。
【０１０４】
そして、設定データと受信データに含まれている画像データとが一致すると判定された場合には（Ｓ６７：一致）、セキュリティ解除がされた後（Ｓ６９）、再び、Ｓ６１が実行され、一方、設定データと受信データに含まれている画像データとが一致しない判定された場合には（Ｓ６７：不一致）、セキュリティ解除がされることなく、再び、Ｓ６１が実行される。
【０１０５】
４．本実施形態に係る多機能装置の特徴
本実施形態では、外部記憶装置２０に記憶されている画像データと壁紙として設定された画像データ（設定データ）とが一致していると判定された場合に（Ｓ５５：一致）、装置の作動状態を禁止状態から許可状態に変更するので（Ｓ５７）、ユーザはパスワードを入力する必要はなく、設定データと一致するデータが記憶されている外部記憶装置２０を接続部１１に接続することにより、容易に禁止状態を許可状態に変更することができる。
【０１０６】
また、本実施形態では、設定データに対して、削除を禁止する属性を付加した属性付き設定データを作成し、この作成されたデータを外部記憶装置２０に書き込むので（Ｓ３７）、外部記憶装置２０に書き込まれた設定データと一致するデータが、誤って削除されてしまうことを未然に防止できる。
【０１０７】
また、本実施形態では、受信データと設定データとが一致していると判定された場合に（Ｓ６７：一致）、禁止状態を許可状態に変更するので（Ｓ６９）、ユーザはパスワードを入力する必要はなく、設定データと一致するデータが記憶されているデータを外部から多機能装置１に送信することにより、装置の作動状態を禁止状態から許可状態に容易に変更することができる。
【０１０８】
また、本実施形態では、禁止状態が設定されている場合において、受信データが設定データと異なるとき、受信データを破棄することにより受信データの処理の実行を禁止するので（Ｓ７１）、受信データが設定データと異なるときには、禁止状態が維持され、情報処理装置の禁止状態に反して受信データに関わる処理が実行されることを防止できる。
【０１０９】
また、本実施形態では、接続部１１に接続された外部記憶装置２０に記憶されている画像データと設定データとが一致していると判定された場合に（Ｓ５：ＹＥＳ）、装置の作動状態を許可状態から禁止状態に容易に変更可能となるので、ユーザはパスワードを入力する必要はなく、設定データと一致するデータが記憶されている外部記憶装置２０を接続部１１に接続することにより、容易に許可状態を禁止状態に変更することができる。
【０１１０】
また、本実施形態では、受信データと設定データとが一致していると判定された場合に（Ｓ１１：ＹＥＳ）、許可状態を禁止状態に変更可能とするので、ユーザはパスワードを入力する必要はなく、設定データと一致するデータが記憶されているデータを多機能装置１に外部から送信することにより、容易に許可状態を禁止状態に変更することができる。
【０１１１】
また、本実施形態では、表示パネル７に表示する壁紙の指定に関連付けて容易に設定データを設定できるので、設定データをユーザが指定するための専用の作業が不要となり、多機能装置１の使い勝手を向上させることができる。
【０１１２】
また、本実施形態のごとく、少なくとも図形を示すデータを含む画像データにより設定データを構成すれば、多機能装置１の安全性を高めることができる。
すなわち、通常、図形を示すデータを含む画像データは、パスワード等のテキスト情報に比べて、データサイズが大きく複雑であるので、複製データを容易に作成することができない。したがって、図形を示すデータを含む画像データにより設定データを構成すれば、多機能装置１の安全性を高めることができる。
【０１１３】
（第２実施形態）
第１施形態では、設定データと同一の画像データが記憶されている外部記憶装置２０が接続部１１に接続されたとき、又は設定データと同一の画像データをコンピュータ等から多機能装置１に送信されたときには、自動的にセキュリティ解除が実行されたが、本実施形態では、実際にセキュリティ解除が実行される前に、その旨の確認がユーザに対して行われるものである。
【０１１４】
すなわち、図１２は、セキュリティ解除時に、表示パネル７に表示されるガイダンス（案内）画面を手順に沿って示したフローチャートである。
そして、セキュリティ設定がされ、かつ、表示パネル７に壁紙Ｇ５３が設定表示されている場合に、外部記憶装置２０（図１２においては、「メディア」と表記）が接続部１１に挿入（接続）されると、表示パネル７にその旨の表示Ｇ５５が表示されるとともに、設定データと同一の画像データが外部記憶装置２０に記憶されているか否かが判定される。
【０１１５】
このとき、設定データと同一の画像データが外部記憶装置２０に記憶されている場合には、その旨及びセキュリティ解除を実際に行うか否かの確認メッセージＧ５７が表示された後、セキュリティ解除を行う旨がユーザにより指示された場合には、実際にセキュリティ解除がされ、表示パネル７に再び壁紙として設定された画像Ｇ５９が表示される。
【０１１６】
一方、セキュリティ解除をしない旨がユーザにより指示された場合には、セキュリティ解除がされることなく、表示パネル７に壁紙として設定された画像及びセキュリティ設定がされていることを示す画像Ｇ６１が表示される。
【０１１７】
また、セキュリティ設定がされ、かつ、表示パネル７に壁紙Ｇ５３が設定表示されている場合に、コンピュータから送信されるデータ又はファクシミリデータを受信すると、表示パネル７にその旨の表示Ｇ６３がされるとともに、設定データと同一の画像データが受信データに含まれているか否かが判定される。
【０１１８】
このとき、設定データと同一の画像データが受信データに含まれている場合には、その旨及びセキュリティ解除を実際に行うか否かの確認メッセージＧ６５が表示された後、セキュリティ解除を行う旨がユーザにより指示された場合には、実際にセキュリティ解除がされ、表示パネル７に再び壁紙として設定された画像Ｇ５９が表示される。
【０１１９】
一方、セキュリティ解除をしない旨がユーザにより指示された場合には、セキュリティ解除がされることなく、表示パネル７に壁紙として設定された画像及びセキュリティ設定がされていることを示す画像Ｇ６１が表示される。
【０１２０】
（その他の実施形態）
上述の実施形態では、多機能装置に本発明に係る情報処理装置を適用したが、本発明の適用はこれに限定されるもではなく、他の装置にも適用することができる。
【０１２１】
また、上述の実施形態では、画像データとして、付加情報及び本体データからなるデータを例に本発明を説明したが、本発明の画像データはこれに限定されるものではなく、例えば、外部記憶装置２０に書き込まれる画像データとして、セキュリティ解除を行うための鍵情報である旨の情報を新たに付加してもよい。
【０１２２】
また、図５、図１０、図１１の処理は、本実施形態の説明を分かりやすくするために、別々のフローチャートとして説明したが、いずれも多機能装置１の電源スイッチ（図示せず。）が投入されたときに起動し、電源スイッチが遮断されたときに終了するものであるため、一つの処理として実現することも可能である。
【０１２３】
また、本発明は、特許請求の範囲に記載された発明の趣旨に合致するものであればよく、上述の実施形態に限定されるものではない。
例えば、上述の実施形態では、多機能装置が備える処理機能として、表示部に背景画像を表示する機能を例とし、処理機能を実行させる際に用いられるデータが壁紙のデータである場合について説明した。これに対し、処理機能として、ＰＣ等の表示画面において利用されているスクリーンセイバー（動画）を表示する機能を用い、スクリーンセイバーのデータを処理機能を実行させる際に用いられるデータとして、本実施形態に関わる装置の作動状態の切り替え制御を行なうように構成してもよい。また、電話機能を備えるものであれば、着信音（呼出音）として設定されているデータに基づいて装置の作動状態の切り替え制御を行なうように構成してもよい。
【図面の簡単な説明】
【０１２４】
【図１】本実施形態に係る多機能装置１の構成を示すブロック図である。
【図２】多機能装置１の概略作動を示すフローチャートである。
【図３】多機能装置１の概略作動を示すフローチャートである。
【図４】多機能装置１の概略作動を示すフローチャートである。
【図５】セキュリティ設定処理を示すフローチャートである。
【図６】壁紙画像比較処理を示すフローチャートである。
【図７】外部記憶装置画像選択処理を示すフローチャートである。
【図８】セキュリティ選択設定処理を示すフローチャートである。
【図９】多機能装置１の概略作動を示すフローチャートである。
【図１０】外部記憶装置が装着されたときのセキュリティ解除処理を示すフローチャートである。
【図１１】コンピュータからデータを受信したときのセキュリティ解除処理を示すフローチャートである。
【図１２】多機能装置１の概略作動を示すフローチャートである。
【符号の説明】
【０１２５】
１…多機能装置、３…印刷部、５…操作パネル、７…表示パネル、９…記憶部、
１１…接続部、１５…制御部、２０…外部記憶装置。
【図１】
2009177320.tif 000003
【図２】
2009177320.tif 000004
【図３】
2009177320.tif 000005
【図４】
2009177320.tif 000006
【図５】
2009177320.tif 000007
【図６】
2009177320.tif 000008
【図７】
2009177320.tif 000009
【図８】
2009177320.tif 000010
【図９】
2009177320.tif 000011
【図１０】
2009177320.tif 000012
【図１１】
2009177320.tif 000013
【図１２】
2009177320.tif 000014